(57)【特許請求の範囲】
【請求項１】
エレベータの緊急行先階登録装置であって、
前記エレベータの緊急行先階登録装置は緊急行先階登録ボタンスイッチを含み、
前記緊急行先階登録ボタンスイッチは、非常時にエレベータの外部に通報するための非常
呼びボタンスイッチと兼用され、
前記非常呼びボタンスイッチは、
走行中に操作されたとき、操作時間に関わらず、許可される階床の全てを行先階として登録され、
停止中に操作されたとき、操作時間に関わらず、前記エレベータかご内のインターホンを介して、前記エレベータかごの外部と通話可能となるように切り換えられる、
エレベータの緊急行先階登録装置。
【請求項２】
前記許可される階床は、前記エレベータに設けられた全ての階床である請求項１に記載のエレベータの緊急行先階登録装置。
【請求項３】
前記エレベータは、前記エレベータかごの昇降を制御する制御部を含み、
前記制御部は、前記緊急行先階登録ボタンスイッチの操作により登録された階床の内、前
記エレベータかご位置に最も近い着床可能な階床にエレベータかごを着床させる
請求項１又は２に記載のエレベータの緊急行先階登録装置。
【請求項４】
前記制御部は、前記エレベータかご位置に最も近い着床可能な階床にエレベータかごを着床させたとき、前記着床した階床以外の前記緊急行先階登録ボタンスイッチの操作により登録された階床の登録を取り消す、
請求項１乃至３のいずれか１項に記載のエレベータの緊急行先階登録装置。
【請求項５】
前記緊急行先階登録ボタンスイッチの操作により登録された階床に着床するときの減速度
は、前記緊急行先階登録ボタンスイッチが操作されずに着床するときの減速度よりも大き
い
請求項１乃至４のいずれか1項に記載のエレベータの緊急行先階登録装置。
【請求項６】
請求項１乃至５のいずれか1項に記載のエレベータの緊急行先階登録装置を具えるエレベータ。
【請求項７】
前記エレベータの緊急行先階登録装置が前記エレベータかごの外部に設けられる、
請求項６に記載のエレベータ。
【請求項８】
エレベータの緊急行先階登録装置であって、
前記エレベータの緊急行先階登録装置は、緊急行先階登録ボタンスイッチを含み、
前記緊急行先階登録ボタンスイッチは、前記エレベータかごの外部に設けられ、
前記緊急行先階登録ボタンスイッチが操作されると、許可される階床の全てを行先階とし
て登録される、
エレベータの緊急行先階登録装置。
【発明の詳細な説明】
【技術分野】
【０００１】
本発明は、エレベータに設けられたエレベータの緊急行先階登録装置に関する。
【背景技術】
【０００２】
従来、地震発生時において、機械室あるいはピットに設置されている地震感知器がP波を感知した後でエレベータを管制運転させていた。
また、広域地震検知システムと通信を行い、地震時にエレベータかごを最寄り階に着床させ、休止させる管制運転をする技術が知られている（例えば引用文献１）。
一方、近年、各個人の携帯端末（スマートフォン）の所持率が高くなっており、例えば、地震発生時に気象庁から緊急地震速報が各個人の携帯端末宛に発報されるなど、緊急時の情報が各個人に迅速に案内されるシステムが整いつつある。
【先行技術文献】
【特許文献】
【０００３】
【特許文献１】特開平１−１２７５８３号公報
【発明の概要】
【発明が解決しようとする課題】
【０００４】
しかしながら、機械室あるいはピットに設置されている地震感知器がP波を感知した後でエレベータを管制運転させる場合、地震の大きさやカゴの停止位置によってはかご内に閉じ込めになる可能性があった。
また、緊急地震速報など広域地震検知システムと通信を行い、地震時に管制運転を行わせるためには、広域地震検知システムと通信を行うための機器をエレベータシステムに設けなければならず、システムの複雑化を招いていた。
【０００５】
そこで、本発明の目的は、地震発生時等緊急を要する状況で、可能な限り、閉じ込めが無く、速やかに乗客が最寄り階に避難できる簡易な構成のエレベータを提供することである。
【課題を解決するための手段】
【０００６】
上記課題を解決するために、本発明のエレベータの緊急行先階登録装置は、エレベータの緊急行先階登録装置であって、エレベータの緊急行先階登録装置は緊急行先階登録ボタンスイッチを含み、前記緊急行先階登録ボタンスイッチは、非常時にエレベータの外部に通報するための非常呼びボタンスイッチと兼用され、非常呼びボタンスイッチは、走行中に操作されたとき、操作時間に関わらず、許可される階床の全てを行先階として登録され、停止中に操作されたとき、操作時間に関わらず、エレベータかご内のインターホンを介して、エレベータかごの外部と通話可能となるように切り換えられる。
【０００７】
また、本発明のエレベータの緊急行先階登録装置おいては、許可される階床は、前記エレベータに設けられた全ての階床であってもよい。
【０００８】
また、本発明のエレベータの緊急行先階登録装置おいては、エレベータは、前記エレベータかごの昇降を制御する制御部を含み、制御部は、緊急行先階登録ボタンスイッチの操作により登録された階床の内、エレベータかご位置に最も近い着床可能な階床にエレベータかごを着床させてもよい。
【０００９】
また、本発明のエレベータの緊急行先階登録装置おいては、制御部は、エレベータかご位置に最も近い着床可能な階床にエレベータかごを着床させたとき、着床した階床以外の緊急行先階登録ボタンスイッチの操作により登録された階床の登録を取り消してもよい。
【００１０】
また、本発明のエレベータの緊急行先階登録装置おいては、緊急行先階登録ボタンスイッチの操作により登録された階床に着床するときの減速度は、前記緊急行先階登録ボタンスイッチが操作されずに着床するときの減速度よりも大きくてもよい。
【００１１】
また、本発明のエレベータは、前記のエレベータの緊急行先階登録装置を具える。
【００１２】
また、本発明のエレベータは、前記のエレベータの緊急行先階登録装置をエレベータかごの外部に設けてもよい。
【００１３】
また、本発明のエレベータの緊急行先階登録装置においては、エレベータの緊急行先階登録装置であって、エレベータの緊急行先階登録装置は、緊急行先階登録ボタンスイッチを含み、緊急行先階登録ボタンスイッチは、エレベータかごの外部に設けられ、緊急行先階登録ボタンスイッチが操作されると、許可される階床の全てを行先階として登録されてもよい。
【発明の効果】
【００１５】
本発明によれば、震発生時等緊急を要する状況で、可能な限り、閉じ込めが無く、速やかに乗客が最寄り階に避難できる簡易な構成のエレベータを提供することができる。
【図面の簡単な説明】
【００１６】
【図１】図１は、本発明の第１実施形態に係るエレベータの緊急行先階登録装置が設けられたエレベータかご内から出入側を見た透視図である。
【図２】図２は、本発明の第１実施形態に係るエレベータの緊急行先階登録装置を示す図である。
【図３】図３は、本発明の第１実施形態に係るエレベータの緊急行先階登録装置が設けられたエレベータの概略構成を示すブロック図である。
【図４】図４は、本発明の第２実施形態に係るエレベータの緊急行先階登録装置を示す図である。
【発明を実施するための形態】
【００１７】
以下、エレベータの緊急行先階登録装置及びエレベータの緊急行先階登録装置を具えたエレベータにおける一実施形態について、図１〜図３を参照しながら説明する。なお、各図（図４も同様）において、図面の寸法比と実際の寸法比とは、必ずしも一致しておらず、また、各図面の間での寸法比も、必ずしも一致していない。
【００１８】
＜第１実施形態＞
図１は、本発明の第１実施形態に係るエレベータの緊急行先階登録装置が設けられたエレベータかご内から出入側を見た透視図、図２は、発明の第１実施形態に係るエレベータの緊急行先階登録装置を示す図、図３は、本発明の第１実施形態に係るエレベータの緊急行先階登録装置が設けられたエレベータの概略構成を示すブロック図である。
【００１９】
図１に示すように、エレベータかご１００は、かごドア２，２を具える。また、前記かごドア２，２の左右には袖壁(壁面)３，３を具える。図１における右側の袖壁(壁面)３には、かご操作盤１が設けられている。
【００２０】
図２に示すように、かご操作盤１には、行先階登録ボタンスイッチ４、開閉ボタンスイッチ５、非常呼びボタンスイッチ６、緊急行先階登録装置９に含まれる緊急行先階登録ボタンスイッチ７及びエレベータかご１００の昇降方向及びエレベータかご１００の位置が表示される表示器８が設けられている。
【００２１】
行先階登録ボタンスイッチ４はエレベータかご１００内の乗客が目的階を登録するボタンスイッチである。また、開閉ボタンスイッチ５は、戸閉中のかごドア２，２を反転戸開させる戸開ボタンスイッチと、任意にかごドア２，２を戸閉するための戸閉ボタンスイッチとを含む。また、非常呼びボタンスイッチ６は、操作されることにより、乗場で警報装置を鳴らし、あるいは、乗場又は管理人室と図示しないインターホンを介して通話可能なようにする。表示器８は、エレベータかご１００の昇降方向及びエレベータかご１００の位置を表示する。
【００２２】
緊急行先階登録ボタンスイッチ７は、操作されると許可された階床の全てを行先階として登録される。ここで、許可された階とは着床することが許された階床であり、特に着床が制限された階床が無ければ、最短で停止できる階床を選択できることから、エレベータ乗場が設けられた全ての階床であることが好ましい。なお、本実施形態では、緊急行先階登録ボタンスイッチ７は、かご内に設置されているが、管理人室や防災センター、あるいは当該エレベータが設置された建物外にあるエレベータの監視センターなど、エレベータかご１００の外に設置されても良い。
【００２３】
これにより、広域地震検知システムと通信を行うための機器をエレベータシステムに設けずとも、地震発生時に気象庁から緊急地震速報が各個人の携帯端末宛に発報されたとき、緊急行先階登録ボタンスイッチ７を操作すれば、許可された階床の全てを行先階として登録されるため、登録された着床することが許された階床の内、最短で停止できる階床に着床し、速やかに乗客が最寄り階に避難することができる。
【００２４】
ところで、エレベータかご１００が停止中は、既にエレベータかご１００は着床しており、速やかに乗客が避難できるため、緊急行先階登録ボタンスイッチ７が操作されても、許可された階床の全てを行先階として登録する必要は無い。逆にエレベータかご１００が停止中に緊急行先階登録ボタンスイッチ７が操作され、許可された階床の全てを行先階として登録されると、無駄な行先階が登録されることになり、エレベータの運行効率の低下を招くことになる。そこで、緊急行先階登録ボタンスイッチ７は、エレベータかご１００が走行中に操作されると許可された階床の全てを行先階として登録され、エレベータかご１００が停止中に操作されても許可された階床の全てを行先階として登録されないのが好ましい。
【００２５】
次に図３の構成図を用いて、実施形態１に係るエレベータの緊急行先階登録装置及びエレベータの緊急行先階登録装置を具えたエレベータの動作について説明する。
【００２６】
実施形態１に係るエレベータは、巻上機１５を駆動してエレベータかご１００の昇降を制御する制御部１０を具える。制御部１０は、緊急行先階登録装置９に含まれる緊急行先階登録ボタンスイッチ７が操作されたときに出力される操作信号と、公知のかご位置を検出するセンサー等によりかご位置を検出するかご位置検出装置１１からのかご位置情報が入力される入力部１２を有する。また、制御部１０は、前記操作信号と前記かご位置情報から最短で着床可能な階床を選択する判断部１３を有する。さらに、制御部１０は、判断部１３により選択された着床可能な階床に着床すべく巻上機１５に指令を出力する昇降制御部１４を有する。巻上機１５は、昇降制御部１４の指令に基づいて駆動され、判断部１３により選択された階床に着床する。
【００２７】
ここで、通常走行における着床は、エレベータ乗客が不快に感じない減速度（減加速度）としているが、地震等の緊急時には、乗り心地等に配慮するより、最短でエレベータかご１００を着床させ、速やかに乗客を最寄り階に避難させることを優先すべきため、乗客にとって安全な減速度であれば、緊急行先階登録ボタンスイッチ７の操作により登録された階床に着床するときの減速度は、前記緊急行先階登録ボタンスイッチ７が操作されずに着床するとき（通常走行における着床）の減速度よりも大きくなることが好ましい。
【００２８】
また、緊急行先階登録ボタンスイッチ７の操作により登録された階床の内、エレベータかご１００位置に最も近い着床可能な階床にエレベータかご１００を着床させた後、当該エレベータかご１００が着床した階床以外の緊急行先階登録ボタンスイッチ７の操作により登録された階床の登録を全て取り消すことが好ましい。これにより、仮にいたずらで緊急行先階登録ボタンスイッチ７が操作されたとしても、最寄り階へ着床以降に残りの登録された階床に応答し、運行効率が低下することを低減することができる。
【００２９】
＜第２実施形態＞
次に第２実施形態について、図４を参照しながら説明する。
【００３０】
上記第１実施形態では、緊急行先階登録ボタンスイッチ７を行先階登録ボタンスイッチ４、開閉ボタンスイッチ５及び非常呼びボタンスイッチ６とは別に設けていたが、緊急行先階登録ボタンスイッチ７と非常呼びボタンスイッチ６を兼用しても良い。これにより、新たに緊急行先階登録ボタンスイッチ７を設ける必要がなく、簡易な構成で、震発生時等緊急を要する状況において、可能な限り、閉じ込めが無く、速やかに乗客が最寄り階に避難できるエレベータを提供することができる。
【００３１】
また、急行先階登録ボタンスイッチ７と非常呼びボタンスイッチ６を兼用する場合、非常呼びボタンスイッチ６は、短押し（短く押す操作）されると、許可される階床の全てを行先階として登録され、長押し（例えば３秒以上押す操作）されると、エレベータかご１００の外部に通報する構成としても良い。これにより、一つの非常呼びボタンスイッチ６で機能を使い分けることができ、エレベータかご１００の外部に連絡をとるために非常呼びボタンスイッチ６を押したにも関わらず、無駄に許可される階床の全てを行先階として登録されることが無い。
【００３２】
また、急行先階登録ボタンスイッチ７と非常呼びボタンスイッチ６を兼用する場合において、非常呼びボタンスイッチ６は、エレベータかご１００が走行中に操作されると許可された階床の全てを行先階として登録され、エレベータかご１００が停止中に操作されるとエレベータかご１００の外部に通報する構成としても良い。これにより、一つの非常呼びボタンスイッチ６で機能を使い分けることができ、必要な状況で必要な機能を選択的に動作させることができる。
【００３３】
以上より、本実施形態に係るエレベータの緊急行先階登録装置９は、緊急行先階登録ボタンスイッチ７を含み、前記緊急行先階登録ボタンスイッチ７が操作されると、許可される階床の全てを行先階として登録される。
【００３４】
斯かる構成によれば、地震発生時やかご内で暴漢に襲われた場合など、一の操作で許可される階床の全てを行先階として登録できるため、特別な操作や複雑な構成の装置を用いること無く、最短で着床できる階にエレベータのかごを着床させ、乗客を避難させることができる。
【００３５】
また、本実施形態に係るエレベータの緊急行先階登録装置９は、エレベータの緊急行先階登録スイッチ７は、エレベータかご１００内の壁面３に設置される。
【００３６】
斯かる構成によれば、エレベータの乗客が想定する操作スイッチの設置場所付近に緊急行先階登録スイッチ７が設置されているため、緊急時に容易に緊急行先階登録スイッチ７を操作することができる。
【００３７】
また、本実施形態に係るエレベータの緊急行先階登録装置９は、エレベータかご１００が走行中のみ、緊急行先階登録ボタンスイッチ７が操作されると、許可される階床の全てを行先階として登録される。
【００３８】
斯かる構成によれば、エレベータかご１００が停止中に緊急行先階登録スイッチ７が操作され、許可される階床の全てを行先階として登録されることによって、エレベータの運行効率が悪化することを防ぐことができる。
【００３９】
また、本実施形態に係るエレベータの緊急行先階登録装置９は、許可される階床は、エレベータに設けられた全ての階床である。
【００４０】
斯かる構成によれば、最短で着床可能な階床にエレベータかご１００を着床させ、迅速に乗客を避難させることができる。
【００４１】
また、本実施形態に係るエレベータの緊急行先階登録装置９は、緊急行先階登録ボタンスイッチ７は、非常時にエレベータの外部に通報するための非常呼びボタンスイッチ６と兼用される。
【００４２】
斯かる構成によれば、非常呼びボタンスイッチ６一つで、許可される階床の全てを行先階として登録する機能と、非常時にエレベータの外部に通報する機能の二つを動作させることができ、簡易な構成とすることができる。また、斯かる構成によれば、既設のエレベータの制御方法を変更することで、既設の非常呼びボタンスイッチ６を本発明に係るエレベータの緊急行先階登録装置９である緊急行先階登録ボタンスイッチ７とすることができる。
【００４３】
また、本実施形態に係るエレベータの緊急行先階登録装置９は、非常呼びボタンスイッチ７は、短押しされると、許可される階床の全てを行先階として登録され、長押しされると、エレベータの外部に通報する。
【００４４】
斯かる構成によれば、一つの非常呼びボタンスイッチ６で機能を使い分けることができ、外部に連絡をとるために非常呼びボタンスイッチ６を押したにも関わらず、無駄に許可される階床の全てを行先階として登録されることが無い。
【００４５】
また、本実施形態に係るエレベータの緊急行先階登録装置９は、非常呼びボタンスイッチ７は、走行中に操作されると、許可される階床の全てを行先階として登録され、停止中に操作されると、エレベータかご１００の外部に通報する。
【００４６】
斯かる構成によれば、一つの非常呼びボタンスイッチ６で機能を使い分けることができ、必要な状況で必要な機能を選択的に動作させることができる。
【００４７】
また、本実施形態に係るエレベータの緊急行先階登録装置９は、エレベータは、エレベータかご１００の昇降を制御する制御部１０を含み、制御部１０は、緊急行先階登録ボタンスイッチ７の操作により登録された階床の内、エレベータかご１００位置に最も近い着床可能な階床にエレベータかご１００を着床させる。
【００４８】
斯かる構成によれば、最短で着床可能な階床にエレベータかご１００を着床させ、迅速に乗客を避難させることができる。
【００４９】
また、本実施形態に係るエレベータの緊急行先階登録装置９は、緊急行先階登録ボタンスイッチ７の操作により登録された階床に着床するときの減速度は、緊急行先階登録ボタンスイッチ７が操作されずに着床するときの減速度よりも大きい。
【００５０】
斯かる構成によれば、地震等の緊急時に、乗り心地等に配慮するより、最短でエレベータかご１００を着床させ、速やかに乗客を最寄り階に避難させることを優先することができる。
【００５１】
また、本実施形態に係るエレベータは、エレベータの緊急行先階登録装置９を具える。
【００５２】
斯かる構成によれば、地震発生時やかご内で暴漢に襲われた場合など、一の操作で許可される階床の全てを行先階として登録できるため、特別な操作や複雑な構成の装置を用いること無く、最短で着床できる階にエレベータのかごを着床させ、乗客を避難させることができる。
【００５３】
なお、本発明に係るエレベータの緊急行先階登録装置９は、上記した実施形態の構成に限定されるものではなく、また、上記した作用効果に限定されるものではない。また、エレベータの緊急行先階登録装置９は、本発明の要旨を逸脱しない範囲内において種々変更を加え得ることは勿論である。例えば、下記する各種の変更例に係る構成や方法等を任意に一つ又は複数選択して、上記した実施形態に係る構成や方法等に採用してもよいことは勿論である。
【００５４】
（１）たとえば、エレベータの緊急行先階登録装置９は、袖壁(壁面)３に設置することに限定されず、エレベータかご１００の側壁や背面壁に設置されても良い。
【００５５】
（２）上記実施形態のエレベータの緊急行先階登録装置９は、かご操作盤１に設けられている。しかしながら、エレベータの緊急行先階登録装置９の設置位置は、これに限定されず、例えば、緊急行先階登録装置９は、かご操作盤１とは別に設けられても良い。
【符号の説明】
【００５６】
１  かご操作盤
２  かごドア
３  袖壁(壁面)
４  行先階登録ボタンスイッチ
５  開閉ボタンスイッチ
６  非常呼びボタンスイッチ
７  緊急行先階登録スイッチ
８  表示器
９  緊急行先階登録装置
１０  制御部
１１  かご位置検出部
１２  入力部
１３  判断部
１４  昇降制御部
１５  巻上機
１００  エレベータかご
【図１】
0006954401.tif 000002
【図２】
0006954401.tif 000003
【図３】
0006954401.tif 000004
【図４】
0006954401.tif 000005